(57)【要約】【課題】データの読出処理および書込処理を簡易化し、処理の高速化を図る。【解決手段】メモリ型液晶表示装置１０の表示画像メモリ１２は、表示画面に対応する表示画像データを格納するに際し、表示画像データに非表示画像データを付加した画像データを、連続するアドレスで表現されるアドレス領域に格納する。これによりコントローラ１１は、アドレス領域の連続する読出アドレスから順次前記画像データを読み出し、メモリ型液晶表示パネルに転送し、書き込む。【選択図】図１
2007240947.tif 000002
【特許請求の範囲】
【請求項１】
メモリ型表示装置の表示制御を行う表示制御装置において、
前記メモリ型表示装置の表示画面に対応する表示画像データを格納するに際し、前記表示画像データに非表示画像データを付加した画像データを、連続するアドレスで表現されるアドレス領域に格納する画像データ記憶部と、
前記アドレス領域の連続する読出アドレスから順次前記画像データを読み出し、前記メモリ型表示装置に転送し、書き込む画像データ書込部と、
を備えたことを特徴とする表示制御装置。
【請求項２】
請求項１記載の表示制御装置において、
前記画像画像データ書込部は、読出アドレスを読出開始アドレスから読出終了アドレスに向かって順次指定することにより前記画像データを読み出すことを特徴とする表示制御装置。
【請求項３】
請求項１または請求項２記載の表示制御装置において、
前記画像データ記憶部は、前記表示画像データのうち、最後に読み出すべき表示画像データである最終データのアドレスが前記アドレス領域の先頭アドレスあるいは末尾アドレスとされていることを特徴とする表示制御装置。
【請求項４】
請求項３記載の表示制御装置において、
前記画像読み出しアドレスを記憶する読出アドレスレジスタのアドレス設定可能範囲は、前記アドレス領域の先頭アドレスから末尾アドレスまでとされていることを特徴とする表示制御装置。
【請求項５】
請求項４記載の表示制御装置において、
前記画像データ書き込み部は、次の画像データを読み出すに先だって、前記読出アドレスレジスタの最上位の桁を超えて桁上がりしあるいは最下位の桁を超えて桁下がりした場合に画像データの転送および書き込みが完了したと判別することを特徴とする表示制御装置。
【請求項６】
表示画像データを記憶しつつ、表示を行うメモリ型表示部と、
前記メモリ型表示部の表示画面に対応する表示画像データを格納するに際し、前記表示画像データに非表示画像データを付加した画像データを、連続するアドレスで表現されるアドレス領域に格納する画像データ記憶部と、
前記アドレス領域の連続する読出アドレスから順次前記画像データを読み出し、前記メモリ型表示部に転送し、書き込む画像データ書込部と、
を備えたことを特徴とするメモリ型表示装置。
【請求項７】
表示画像データを記憶しつつ、表示を行うメモリ型表示部と、
各種情報処理を行い、前記メモリ型表示部の表示画面に対応する表示画像データを生成する情報処理部と、
前記表示画像データを格納するに際し、前記表示画像データに非表示画像データを付加した画像データを、連続するアドレスで表現されるアドレス領域に格納する画像データ記憶部と、
前記アドレス領域の連続する読出アドレスから順次前記画像データを読み出し、前記メモリ型表示装置に転送し、書き込む画像データ書込部と、
を備えたことを特徴とする情報処理装置。
【請求項８】
メモリ型表示装置の表示制御を行う表示制御装置の制御方法において、
前記メモリ型表示装置の表示画面に対応する表示画像データを格納するに際し、前記表示画像データに非表示画像データを付加した画像データを、連続するアドレスで表現されるアドレス領域に格納する画像データ記憶過程と、
前記アドレス領域の連続する読出アドレスから順次前記画像データを読み出し、前記メモリ型表示装置に転送し、書き込む画像データ書込過程と、
を備えたことを特徴とする表示制御装置の制御方法。
【請求項９】
画像データを記憶する画像データ記憶部を有し、メモリ型表示装置の表示制御を行う表示制御装置をコンピュータにより制御するための制御プログラムにおいて、
前記メモリ型表示装置の表示画面に対応する表示画像データを格納するに際し、前記表示画像データに非表示画像データを付加した画像データを、前記画像データ記憶部の連続するアドレスで表現されるアドレス領域に格納させ、
前記アドレス領域の連続する読出アドレスから順次前記画像データを読み出し、前記メモリ型表示装置に転送させ、書き込ませる、
ことを特徴とする制御プログラム。
【発明の詳細な説明】
【技術分野】
【０００１】
本発明は、表示制御装置、表示装置、表示装置の制御方法および制御プログラムに係り、特に表示情報の更新に比較して表示情報の保持が低消費電力で行える表示制御装置、表示装置、表示装置の制御方法および制御プログラムに関する。
【背景技術】
【０００２】
従来の液晶表示装置は、画面を表示させるためにセグメント電極と、コモン電極との組合せ信号により常時信号を供給する必要があり、消費電力が大きくなってしまうという問題点があった。
これを解決すべく、特許文献１に記載されているように、複数の画素がメモリ素子として配置され、表示画面を構成するメモリ型液晶表示装置が従来より提案されている。
このメモリ型液晶表示装置は、表示させる画素がメモリ素子を構成しているため、データを書き込むと、その状態を維持するためには外部よりアクセスする必要がなく、非常に低消費電力の表示装置を構成することができる。
【特許文献１】特開２００４−１８５５９５号公報
【発明の開示】
【発明が解決しようとする課題】
【０００３】
このメモリ型液晶表示装置にデータを書き込む場合、他の画像データ格納メモリからデータを読み込んで書き込みを行うことが考えられるが、表示画面に対応づけて他の画像デー格納メモリにデータを格納する場合、表示画面サイズによっては、他の画像データ格納メモリにおいてデータが連続するアドレスに書き込まれるとは限らず、他の画像データ格納メモリからのデータの読出処理およびメモリ型液晶表示装置へのデータの書込処理が複雑となり、処理の高速化が図れないという問題点があった。
そこで、本発明の目的は、データの読出処理および書込処理を簡易化し、処理の高速化が図れる表示制御装置、メモリ型表示装置、情報処理装置、表示制御装置の制御方法および制御プログラムを提供することにある。
【課題を解決するための手段】
【０００４】
上記課題を解決するため、メモリ型表示装置の表示制御を行う表示制御装置において、前記メモリ型表示装置の表示画面に対応する表示画像データを格納するに際し、前記表示画像データに非表示画像データを付加した画像データを、連続するアドレスで表現されるアドレス領域に格納する画像データ記憶部と、前記アドレス領域の連続する読出アドレスから順次前記画像データを読み出し、前記メモリ型表示装置に転送し、書き込む画像データ書込部と、を備えたことを特徴としている。
上記構成よれば、画像データ記憶部は、メモリ型表示装置の表示画面に対応する表示画像データを格納するに際し、表示画像データに非表示画像データを付加した画像データを、連続するアドレスで表現されるアドレス領域に格納する。
画像データ書込部は、アドレス領域の連続する読出アドレスから順次画像データを読み出し、メモリ型表示装置に転送し、書き込む。
【０００５】
この場合において、前記画像画像データ書込部は、読出アドレスを読出開始アドレスから読出終了アドレスに向かって順次指定することにより前記画像データを読み出すようにしてもよい。
また、前記画像データ記憶部は、前記表示画像データのうち、最後に読み出すべき表示画像データである最終データのアドレスが前記アドレス領域の先頭アドレスあるいは末尾アドレスとしてもよい。
さらに、前記画像読み出しアドレスを記憶する読出アドレスレジスタのアドレス設定可能範囲は、前記アドレス領域の先頭アドレスから末尾アドレスまでとしてもよい。
さらにまた、前記画像データ書き込み部は、次の画像データを読み出すに先だって、前記読出アドレスレジスタの最上位の桁を超えて桁上がりしあるいは最下位の桁を超えて桁下がりした場合に画像データの転送および書き込みが完了したと判別するようにしてもよい。
【０００６】
また、メモリ型表示装置は、表示画像データを記憶しつつ、表示を行うメモリ型表示部と、前記メモリ型表示部の表示画面に対応する表示画像データを格納するに際し、前記表示画像データに非表示画像データを付加した画像データを、連続するアドレスで表現されるアドレス領域に格納する画像データ記憶部と、前記アドレス領域の連続する読出アドレスから順次前記画像データを読み出し、前記メモリ型表示部に転送し、書き込む画像データ書込部と、を備えたことを特徴としている。
上記構成によれば、画像データ記憶部は、メモリ型表示部の表示画面に対応する表示画像データを格納するに際し、表示画像データに非表示画像データを付加した画像データを、連続するアドレスで表現されるアドレス領域に格納する。
画像データ書込部は、アドレス領域の連続する読出アドレスから順次画像データを読み出し、メモリ型表示部に転送し、書き込む。
これにより、メモリ型表示部は、表示画像データを記憶しつつ、表示を行う。
【０００７】
また、情報処理装置は、表示画像データを記憶しつつ、表示を行うメモリ型表示部と、各種情報処理を行い、前記メモリ型表示部の表示画面に対応する表示画像データを生成する情報処理部と、前記表示画像データを格納するに際し、前記表示画像データに非表示画像データを付加した画像データを、連続するアドレスで表現されるアドレス領域に格納する画像データ記憶部と、前記アドレス領域の連続する読出アドレスから順次前記画像データを読み出し、前記メモリ型表示装置に転送し、書き込む画像データ書込部と、を備えたことを特徴としている。
上記構成によれば、情報処理部は、各種情報処理を行い、メモリ型表示部の表示画面に対応する表示画像データを生成する。
これにより、画像データ記憶部は、生成された表示画像データを格納するに際し、表示画像データに非表示画像データを付加した画像データを、連続するアドレスで表現されるアドレス領域に格納する。
画像データ書込部は、アドレス領域の連続する読出アドレスから順次画像データを読み出し、メモリ型表示部に転送し、書き込む。
【０００８】
また、メモリ型表示装置の表示制御を行う表示制御装置の制御方法において、前記メモリ型表示装置の表示画面に対応する表示画像データを格納するに際し、前記表示画像データに非表示画像データを付加した画像データを、連続するアドレスで表現されるアドレス領域に格納する画像データ記憶過程と、前記アドレス領域の連続する読出アドレスから順次前記画像データを読み出し、前記メモリ型表示装置に転送し、書き込む画像データ書込過程と、を備えたことを特徴としている。
【０００９】
また、画像データを記憶する画像データ記憶部を有し、メモリ型表示装置の表示制御を行う表示制御装置をコンピュータにより制御するための制御プログラムにおいて、前記メモリ型表示装置の表示画面に対応する表示画像データを格納するに際し、前記表示画像データに非表示画像データを付加した画像データを、前記画像データ記憶部の連続するアドレスで表現されるアドレス領域に格納させ、前記アドレス領域の連続する読出アドレスから順次前記画像データを読み出し、前記メモリ型表示装置に転送させ、書き込ませる、ことを特徴としている。
【発明の効果】
【００１０】
本発明によれば、データの読出処理および書込処理を簡易化し、処理の高速化が図れる。
【発明を実施するための最良の形態】
【００１１】
次に本発明の好適な実施の形態について図面を参照して説明する。
図１は、実施形態のメモリ型液晶表示装置の概要構成ブロック図である。
メモリ型液晶表示装置１０は、メモリ型液晶表示装置１０全体を制御するコントローラ１１と、表示画像データを含む画像データを格納する表示画像メモリ１２と、表示画像データに基づいて画像（文字等も含む）を表示するメモリ型液晶表示パネル１３と、コントローラ１１とメモリ型液晶表示パネル１３との間のインタフェース動作を行うインタフェース部１４と、を備えている。
【００１２】
図２は、表示画像メモリのメモリ構成の説明図である。
図２に示すように、表示画像メモリ１２は、バンク構成を採っており、第１バンクＢＫ１〜第ｎバンクＢＫｎのｎ個のバンクにより構成されている。
本実施形態では、メモリ容量は２Ｍバイトとなっており、１６ビットアドレス（２バイト相当）で表現するために、表示画像メモリ１２は、６４ｋバイト毎に１バンクを構成した３２バンク構成（ｎ＝３２）となっており、バンク切り替えにより全てのアドレス空間にアクセス可能に構成されている。
また、メモリ型液晶表示パネル１３の表示方式としては、光アドレス型液晶方式、コレステリック液晶方式、双安定型強誘電性液晶方式、双安定型ネマテック液晶方式、カイラルネマテック液晶方式、高分子カプセル入りネマテック液晶方式、ゲスト−ホスト型液晶方式、Zenithal双安定型デバイス方式などが挙げられる。
【００１３】
図３は、メモリ型液晶表示パネルの表示画素と表示画像メモリのデータ格納状態の対応関係説明図である。
メモリ型液晶表示パネル１３は、横３２０画素、縦２４０画素のＱＶＧＡ相当の表示画面を有している。
本実施形態のメモリ型液晶表示装置１０は、上位７ビットで表現される水平方向アドレスと、下位８ビットで表される垂直方向アドレスと、で表現されるアドレス空間が設定されており、このアドレス空間内のアドレスに対応するメモリ領域（１バイト）にデータを書き込むことにより表示を行っている。
ところで、メモリ型液晶表示パネル１３の表示画面に相当する実際のアドレス空間は、
３２０×３／８＝１２０（アドレス）
までであり、垂直方向は、２４０（アドレス）までとなっている。
【００１４】
従って、実際の表示画面に相当するアドレス空間は、上位７ビットで表現される水平方向アドレスと下位８ビットで表される垂直方向アドレスと、で表現されるアドレス空間と比較して、小さくなっており、表示に使われないアドレス空間（非表示アドレス空間という。）も含まれている。そこで、本実施形態においては、処理の高速化を図るべく、この非表示アドレス空間に相当するメモリ領域に非表示画像データＮＤＤを付加し、表示画像データＤＤと非表示画像データＮＤＤとを併せて画像データとし、画像データとしては、アドレスが連続して格納されるようにし、連続したデータの読み出し、転送が行えるようにしている。
ところで、上述したメモリ型液晶表示パネル１３の一画面の表示に必要なデータ容量は、３０．７１２ｋバイトであるため、１バンクに２画面分の画像データを記録することができる。この２画面分の画像データのうち一方は、バンク内アドレス３４８２４番地（＝第１開始アドレスＳＡ１）から６５５３５番地（＝第１終了アドレスＥＡ１）の上位領域に格納され、他方は、バンク内アドレス０番地（＝第２終了アドレスＥＡ２）から３４８２３番地（＝第２開始アドレスＳＡ２）の下位領域に格納されている。
【００１５】
図４は、上位領域に格納されている画像データの表示処理の処理フローチャートである。
まずコントローラ１１は、上位領域に格納されている画像データＨＤの表示処理を行う場合には、表示画像メモリ１２において使用するバンク（ＢＫ１〜ＢＫｎ）をセットする（ステップＳ１１）。
次にコントローラ１１は、表示画像メモリ１２に対応するアドレスインデックスレジスタＩＸを初期値にセットする（ステップＳ１２）。
具体的には、上位領域の画像データの表示処理の場合には、
ＩＸ＝３４８２４
にセットする。
続いてコントローラ１１は、メモリ型液晶表示パネル１３の書込アドレスレジスタＩＹを初期値である０にセットする（ステップＳ１３）。
【００１６】
続いてコントローラ１１は、表示画像メモリ１２に対応するアドレスインデックスレジスタＩＸに相当するアドレスからデータを読み出し、インタフェース部メモリ型液晶表示パネル１３の書き込みアドレスレジスタＩＹに画像データをコピーする（ステップＳ１４）。この場合において、コピーされた画像データが表示画像データである場合には、実際にメモリ型液晶表示パネル１３の表示画面に対応する画像（画素）が表示されるが、コピーされた画像データが非表示画像データである場合には、メモリ型液晶表示パネル１３側でデータが破棄され、表示はされないこととなる（以下、同様）。
【００１７】
図３に示すように、表示画面の画素ＰＸ１は、第１開始アドレスＳＡ１の１バイトのデータが対応しており、さらに図７に示すように、第１開始アドレスＳＡ１の１バイトのデータのうち、先頭から３ビット分のデータ（Ｒ、Ｇ、Ｂ各１ビット）に基づいて表示がなされることとなる。
【００１８】
次にコントローラ１１は、メモリ型液晶表示パネル１３の書き込みアドレスレジスタＩＹの値に１を加算する（ステップＳ１５）。すなわち、
ＩＹ＝ＩＹ＋１
とする。コントローラ１１は、表示画像メモリ１２に対応するアドレスインデックスレジスタＩＸの値に１を加算する（ステップＳ１６）。すなわち、
ＩＸ＝ＩＸ＋１
とする。この結果、処理に伴って表示画像メモリ１２に対応するアドレスインデックスレジスタＩＸの値は、
３４８２４→３４８２５→３４８２６→……→６５５３４→６５５３５
のように変化していくこととなる。
【００１９】
次にコントローラ１１は、アドレスインデックスレジスタＩＸの変化に対応してキャリーフラグが変化したか否かを判別する（ステップＳ１７）。
ここで、アドレスインデックスレジスタＩＸの変化に対応してキャリーフラグが変化する場合とは、アドレスインデックスレジスタIＸの最上位桁を超えて桁上がりが発生した場合、あるいは、アドレスインデックスレジスタIＸの最下位桁を超えて桁下がりが発生した場合である。従って、この場合に、アドレスインデックスレジスタＩＸの変化に対応してキャリーフラグが変化する場合とは、アドレスインデックスレジスタＩＸの値が、当該バンク内アドレスの最上位アドレスである６５５３５番地を越えた場合である。
ステップＳ１７の判別において、アドレスインデックスレジスタＩＸが変化してもキャリーフラグが変化しなかった場合には、未だ画像データのメモリ型液晶表示パネルへのコピーが完了していないので、処理をステップＳ１４に移行し、以下、同様の処理を繰り返す。
ステップＳ１７の判別において、アドレスインデックスレジスタＩＸの変化に対応してキャリーフラグが変化した場合、すなわち、アドレスには、表示画像メモリの対応するバンクの３４８２４番地から６５５３５番地の画像データのコピーが完了したので、処理を終了する。
この結果、メモリ型液晶表示パネル１３の表示画面には、画像データに含まれている表示画像データに対応する画像が表示されることとなる。
【００２０】
図５は、下位領域に格納されている画像データの表示処理の処理フローチャートである。
まずコントローラ１１は、下位領域に格納されている画像データＬＤの表示処理を行う場合には、表示画像メモリ１２において使用するバンク（ＢＫ1〜ＢＫｎ）をセットする（ステップＳ２１）。
次にコントローラ１１は、表示画像メモリ１２のアドレスインデックスレジスタＩＸを初期値にセットする（ステップＳ２２）。
具体的には、下位領域の画像データの表示処理の場合には、
ＩＸ＝３０７１１
にセットする。
【００２１】
続いてコントローラ１１は、メモリ型液晶表示パネル１３の書込アドレスレジスタＩＹを初期値である０にセットする（ステップＳ２３）。
続いてコントローラ１１は、表示画像メモリ１２に対応するアドレスインデックスレジスタＩＸに相当するアドレスからデータを読み出し、メモリ型液晶表示パネル１３の書込アドレスレジスタＩＹに画像データをコピーする（ステップＳ２４）。この場合において、コピーされた画像データが表示画像データＤＤである場合には、実際にメモリ型液晶表示パネル１３の表示画面に対応する画像（画素）が表示されるが、コピーされた画像データが非表示画像データＮＤＤである場合には、メモリ型液晶表示パネル１３側でデータが破棄され、表示はされないこととなる（以下、同様）。
【００２２】
次にコントローラ１１は、メモリ型液晶表示パネル１３の書込アドレスレジスタＩＹの値に１を加算する（ステップＳ２５）。すなわち、
ＩＹ＝ＩＹ＋１
とする。コントローラ１１は、表示画像メモリ１２のアドレスインデックスレジスタＩＸの値から１を減算する（ステップＳ２６）。すなわち、
ＩＸ＝ＩＸ−１
とする。この結果、処理に伴って表示画像メモリ１２のアドレスインデックスレジスタＩＸの値は、
３０７１１→３０７１０→３０７０９→……→３→２→１
のように変化していくこととなる。
次にコントローラ１１は、アドレスインデックスレジスタＩＸの変化に対応してキャリーフラグが変化したか否かを判別する（ステップＳ２７）。
【００２３】
ここで、アドレスインデックスレジスタＩＸの変化に対応してキャリーフラグが変化する場合とは、上述したように、アドレスインデックスレジスタIＸの最上位桁を超えて桁上がりが発生した場合、あるいは、アドレスインデックスレジスタIＸの最下位桁を超えて桁下がりが発生した場合である。従って、この場合には、アドレスインデックスレジスタＩＸの変化に対応してキャリーフラグが変化する場合とは、当該バンク内アドレスの最下位アドレスである０番地を越えた場合である。
ステップＳ２７の判別において、アドレスインデックスレジスタＩＸが変化してもキャリーフラグが変化しなかった場合には、未だ画像データのメモリ型液晶表示パネル１３へのコピーが完了していないので、処理をステップＳ１４に移行し、以下、同様の処理を繰り返す。
ステップＳ２７の判別において、アドレスインデックスレジスタＩＸの変化に対応してキャリーフラグが変化した場合には、表示画像メモリ１２の対応するバンクの３４８２４番地から６５５３５番地の画像データのコピーが完了したので、処理を終了する。
以上の説明のように、本実施形態によれば、表示画像メモリ１２からメモリ型液晶表示パネル１３に表示画像データを転送するに際し、非表示画像データを付加することにより、画像データ（表示画像データ＋非表示画像データ）としては、連続するアドレスに格納することができ、アドレスの順番に順次画像データを読み出して、転送すれば良いので、余計な判別処理を行う必要がなく、処理が簡易化されて処理の高速化が図れる。
【００２４】
ここで、処理速度の差について比較するため従来の画像データの表示処理について説明する。
図６は、従来の画像データの表示処理の処理フローチャートである。
まずコントローラ１１は、表示画像メモリ１２において使用するバンク（ＢＫ１〜ＢＫｎ）をセットする（ステップＳ３１）。
次にコントローラ１１は、表示画像メモリ１２に対応するアドレスインデックスレジスタＩＸを初期値にセットする（ステップＳ３２）。
具体的には、上位領域の画像データの表示処理の場合には、
ＩＸ＝３４８２４
にセットする。
【００２５】
続いてコントローラ１１は、メモリ型液晶表示パネル１３の書込アドレスレジスタＩＹを初期値である０にセットする（ステップＳ３３）。
続いてコントローラは、表示画面の水平方向の終端描画位置を判定するためのカウンタＨＬを初期値にセットする（ステップＳ３４）
具体的には、水平方向１２０ドットであるため、
ＨＬ＝１２０
にセットする。
続いてコントローラ１１は、表示画像メモリ１２に対応するアドレスインデックスレジスタＩＸに相当するアドレスからデータを読み出し、インタフェース部を介して、メモリ型液晶表示パネル１３の書き込みアドレスレジスタＩＹに画像データをコピーする（ステップＳ３５）。これにより、メモリ型液晶表示パネル１３の表示画面に対応する画像（画素）が表示されることとなる。
続いてコントローラ１１は、表示画像メモリ１２に対応するアドレスインデックスレジスタＩＸの値に１を加算する（ステップＳ３６）。すなわち、
ＩＸ＝ＩＸ＋１
とする。
【００２６】
さらにコントローラ１１は、メモリ型液晶表示パネル１３の書き込みアドレスレジスタＩＹの値に１を加算する（ステップＳ３７）。すなわち、
ＩＹ＝ＩＹ＋１
とする。
そしてコントローラ１１は、カウンタＨＬの値から１を減算する（ステップＳ３８）。すなわち、
ＨＬ＝ＨＬ−１
とする。
続いてコントローラ１１は、カウンタＨＬの値が０になったか否か、すなわち、１水平ラインのデータ転送が完了したか否かを判別する（ステップＳ３９）。
ステップＳ３９の判別において、いまだカウンタＨＬの値が０になっていない場合には（ステップＳ３９；Ｎｏ）、すなわち、未だ１水平ラインのデータ転送が完了していない場合には、処理を再びステップＳ３６に移行し、同様の処理を繰り返す。
ステップＳ３９の判別において、カウンタＨＬの値が０になった場合には、すなわち、１水平ラインのデータ転送が完了した場合には（ステップＳ３９；Ｙｅｓ）、アドレスインデックスレジスタＩＸの変化に対応してキャリーフラグが変化したか否かを判別する（ステップＳ４０）。
【００２７】
ここで、アドレスインデックスレジスタＩＸの変化に対応してキャリーフラグが変化する場合とは、上述したように、アドレスインデックスレジスタIＸの最上位桁を超えて桁上がりが発生した場合、あるいは、アドレスインデックスレジスタIＸの最下位桁を超えて桁下がりが発生した場合である。従って、この場合には、アドレスインデックスレジスタＩＸの変化に対応してキャリーフラグが変化する場合とは、当該バンク内アドレスの最下位アドレスである０番地を越えた場合である。
ステップＳ４０の判別において、アドレスインデックスレジスタＩＸの変化に対応してキャリーフラグが変化していない場合には、コントローラ１１は、メモリ型液晶表示パネル１３の書き込みアドレスレジスタＩＹの値に８を加算し（ステップＳ４１）、処理をステップＳ３５に移行して、以下同様の処理を行う。
すなわち、１ライン分の描画（３２０画素分の描画）が終わったので、
ＩＹ＝ＩＹ＋８
として、次のラインの描画に移行することとなる。
以上の動作を図４の実施形態と比較すると、異なるのは、図４のステップＳ１４〜ステップＳ１７の処理（４命令）と、ステップＳ３５〜ステップＳ３９の処理（５命令）並びにステップＳ３４、ステップＳ４０〜ステップＳ４１（３命令）の処理である。
【００２８】
これらの処理が時間的にどの程度差がつくのかを検討する。
本実施形態の場合、書き込むデータの量は３０７１２バイトであり、１命令辺り１マシンサイクルで動作するとすると、１マシンサイクル１μｓｅｃのコントローラ（ＣＰＵ）の場合には、
１μｓｅｃ×４命令×３０７１２サイクル＝１２２．８４ｍｓｅｃ
で一画面を書き換えることとなる。
これに対し、従来の処理では、同一のコントローラを用いた場合、
１μｓｅｃ×（（５命令×１２０サイクル）＋３命令）×２４０サイクル
＝１４４．７２ｍｓｅｃ
となり、本実施形態の方が、一画面当たり、
１４４．７２−１２２．８４＝２１．８８ｍｓｅｃ
処理時間が短くなり、表示処理の高速化が図れていることが分かる。
【００２９】
以上の説明のように、本実施形態によれば、画像データを連続するアドレスで表現されるアドレス領域に格納して、順番に読み出して、メモリ型液晶表示装置に転送する構成を採ることにより、データの読出処理および書込処理を簡易化し、処理する命令数を低減することで、一画面の描画処理の高速化が図れる。
この結果、高速で描画が行えるため、データの書込処理時間が少なくなり、消費電流も減少させることができる。また、数コマ程度の簡単な動画を描画することも可能となる。
【図面の簡単な説明】
【００３０】
【図１】実施形態のメモリ型液晶表示装置の概要構成ブロック図である。
【図２】表示画像メモリのメモリ構成の説明図である。
【図３】メモリ型液晶表示パネルの表示画素と表示画像メモリのデータ格納状態の対応関係説明図である。
【図４】上位領域に格納されている画像データの表示処理の処理フローチャートである。
【図５】下位領域に格納されている画像データの表示処理の処理フローチャートである。
【図６】従来の画像データの表示処理の処理フローチャートである。
【符号の説明】
【００３１】
１０…メモリ型液晶表示装置、１１…コントローラ、１２…表示画像メモリ、１３…メモリ型液晶表示パネル、１４…インタフェース部、ＢＫ1〜ＢＫｎ…バンク。
【図１】
2007240947.tif 000003
【図２】
2007240947.tif 000004
【図３】
2007240947.tif 000005
【図４】
2007240947.tif 000006
【図５】
2007240947.tif 000007
【図６】
2007240947.tif 000008